(57)【要約】【課題】鼠径部や陰嚢に施された手術で形成された創部を圧迫することのできる男性用サポータを提供する。【解決手段】男性用サポータ１は、胴部が挿通される胴部開口部２０と、左右脚部が挿通される一対の脚部開口部２１Ｌ、２１Ｒとを備えるサポータ本体２と、胴部開口部２０を取り囲むように形成され、鼠径部が手術された場合に形成される第１創部を圧迫する方向の弾性力を付与する第１の弾性部３と、サポータ本体２の内部と外部とを連通させ、着用者の陰茎が挿通される小便用開口部４と、陰嚢が手術された場合に形成される第２創部を陰茎が小便用開口部４に挿通された状態で圧迫する圧迫部５とを備える。圧迫部５は、サポータ本体２の内側に設けられた内側当て布部と、サポータ本体２の外側に設けられた外側当て布部と、内側当て布部と外側当て布部との間に設けられ、第２創部を圧迫する方向の弾性力を付与する第２の弾性部とを備える。【選択図】図１
2018204145.tif 000002
【特許請求の範囲】
【請求項１】
胴部が挿通される胴部開口部と、左右脚部が挿通される一対の脚部開口部とを備えるサポータ本体と、
前記胴部開口部を取り囲むように形成され、鼠径部が手術された場合に形成される第１創部を圧迫する方向の弾性力を付与する第１の弾性部と、
前記サポータ本体に形成され、前記サポータ本体の内部と外部とを連通させる開口部であって、着用者の陰茎が挿通される小便用開口部と、
前記サポータ本体に形成され、陰嚢が手術された場合に形成される第２創部を前記陰茎が前記小便用開口部に挿通された状態で圧迫する圧迫部とを備え、
前記圧迫部は、
前記サポータ本体の内側に設けられた内側当て布部と、
前記サポータ本体の外側に設けられた外側当て布部と、
前記内側当て布部と前記外側当て布部との間に設けられ、前記第２創部を圧迫する方向の弾性力を付与する第２の弾性部とを備えることを特徴とする男性用サポータ。
【請求項２】
請求項１に記載の男性用サポータにおいて、
前記サポータ本体は、
前記一対の脚部開口部の間に形成された股下部と、
前記股下部から前記着用者の臀部側に延びて前記股下部を前記第１の弾性部に接続する一対の接続部とを備え、
前記一対の接続部の間には、前記胴部開口部に前記胴部が挿通され、且つ前記一対の脚部開口部に前記左右脚部がそれぞれ挿通された状態において、前記着用者の肛門を外部に露出させる大便用開口部が形成されることを特徴とする男性用サポータ。
【請求項３】
請求項２に記載の男性用サポータにおいて、
前記股下部は、前記胴部開口部に前記胴部が挿通され、且つ前記一対の脚部開口部に前記左右脚部がそれぞれ挿通された状態において、前記陰嚢を冷却する陰嚢冷却シートを装着可能な形状を有して構成されることを特徴とする男性用サポータ。
【請求項４】
請求項１乃至請求項３の何れか一項に記載の男性用サポータにおいて、
前記小便用開口部は、孔径が３．５ｃｍ〜４．０ｃｍの孔として形成されることを特徴とする男性用サポータ。
【発明の詳細な説明】
【技術分野】
【０００１】
この発明は、男性用サポータに関するものである。
【背景技術】
【０００２】
従来、下腹部に装着されることにより、胃下垂等を防止するため下腹部を圧迫して矯正する、下腹部用サポータが知られている（下記特許文献１参照）。
【先行技術文献】
【特許文献】
【０００３】
【特許文献１】特開２００２−３４５８６７号公報
【発明の概要】
【発明が解決しようとする課題】
【０００４】
上記特許文献１の下腹部用サポータは下腹部を圧迫するものであるが、近年では、鼠径部や陰嚢に施された手術で形成された創部を圧迫できるものが望まれている。
【０００５】
この発明の目的は、鼠径部や陰嚢に施された手術で形成された創部を圧迫することのできる男性用サポータを提供することにある。
【課題を解決するための手段】
【０００６】
上記目的を達成するため、本発明に係る男性用サポータは、胴部が挿通される胴部開口部と、左右脚部が挿通される一対の脚部開口部とを備えるサポータ本体と、前記胴部開口部を取り囲むように形成され、鼠径部が手術された場合に形成される第１創部を圧迫する方向の弾性力を付与する第１の弾性部と、前記サポータ本体に形成され、前記サポータ本体の内部と外部とを連通させる開口部であって、着用者の陰茎が挿通される小便用開口部と、前記サポータ本体に形成され、陰嚢が手術された場合に形成される第２創部を前記陰茎が前記小便用開口部に挿通された状態で圧迫する圧迫部とを備え、前記圧迫部は、前記サポータ本体の内側に設けられた内側当て布部と、前記サポータ本体の外側に設けられた外側当て布部と、前記内側当て布部と前記外側当て布部との間に設けられ、前記第２創部を圧迫する方向の弾性力を付与する第２の弾性部とを備えることを特徴とする。
【発明の効果】
【０００７】
本発明に係る男性用サポータは、第１の弾性部により、鼠径部が手術された場合に形成される第１創部を圧迫する方向の弾性力が付与され、第２の弾性部により、陰嚢が手術された場合に形成される第２創部を圧迫する方向の弾性力が付与される。そのため、本発明に係る男性用サポータによれば、鼠径部や陰嚢に施された手術で形成された創部を圧迫することができる。
【図面の簡単な説明】
【０００８】
【図１】本実施形態に係る男性用サポータを斜め上方から見た斜視図である。
【図２】男性用サポータを上方から見た平面図である。
【図３】男性用サポータを着用者が着用した状態を後方から見た外観図である。
【図４】男性用サポータを着用者が着用した状態を前方から見た外観図である。
【図５】圧迫部の概略構成を示す側断面図である。
【発明を実施するための形態】
【０００９】
以下、本発明の実施の形態を示す図１〜図５を参照して本発明を説明する。なお、以下の説明では、左右、前後、上下などの記載は、着用者にとっての方向を意味する。従って、図１〜図４における上、下、左、右、前、後は着用者にとっての上、下、左、右、前、後である。
【００１０】
この実施形態における男性用サポータは、鼠径部が手術された場合に形成される創部（以下、第１創部Ｗ１（図４参照）という）や、陰嚢が手術された場合に形成される創部（以下、第２創部Ｗ２（図４参照）という）の圧迫を行って、第１創部Ｗ１や第２創部Ｗ２が合併症を引き起こすことを抑制するために使用される。
【００１１】
鼠径部に施される手術には、例えば、造精機能障害の原因の一つである精索静脈瘤に対する顕微鏡下低位結紮術が含まれる。低位結紮術とは、逆流する内精静脈を外鼠径輪頂上で遮断する手術である。
【００１２】
陰嚢に施される手術には、例えば、TESE（Testicular Sperm Extraction／精巣内精子採取術）が含まれる。TESEは、精巣の中にある精細管を採取し、その中から精子を探し出す手術である。この手術は、非閉塞性無精子症あるいは閉塞性無精子症の治療法で、特発性（原因不明）の造精機能障害やクラインフェルター症候群、癌の化学療法を受けた後の無精子症の人等が対象になる。また陰嚢水腫根治術あるいは精巣腫瘍提出術もある。
【００１３】
以下、この実施形態における男性用サポータの構成を、「男性用サポータの全体構成」と、「サポータ本体の構成」と、「第１の弾性部の構成」と、「小便用開口部の構成」と、「圧迫部の構成」に分けて説明する。
【００１４】
[男性用サポータの全体構成]
以下、図１に基づいて、男性用サポータ１の全体構成を説明する。
【００１５】
男性用サポータ１は、サポータ本体２と、第１の弾性部３と、小便用開口部４と、圧迫部５とを備える。
【００１６】
[サポータ本体の構成]
以下、図１〜図４に基づいて、サポータ本体２の構成を説明する。
【００１７】
サポータ本体２は、伸縮性を有する合成繊維、木綿、絹、ウール、麻などの布で形成される。
【００１８】
サポータ本体２は、図１に示すように、胴部が挿通される胴部開口部２０と、左右脚部が挿通される一対の脚部開口部２１Ｌ、２１Ｒとを備える。なお以下では、一対の脚部開口部２１Ｌ、２１Ｒについて、両者を特に区別する必要がないときには、単に脚部開口部２１という。
【００１９】
サポータ本体２は、図１に示すように、股下部２２と、一対の接続部２３Ｌ、２３Ｒとを備える。なお以下では、一対の接続部２３Ｌ、２３Ｒについて、両者を特に区別する必要がないときには、単に接続部２３という。
【００２０】
股下部２２は、図２に示すように、一対の脚部開口部２１Ｌ、２１Ｒの間に形成される。股下部２２は、胴部開口部２０に着用者の胴部が挿通され、且つ一対の脚部開口部２１Ｌ、２１Ｒに着用者の左右脚部がそれぞれ挿通された状態において、着用者の陰嚢（図４参照）を冷却する陰嚢冷却シート（不図示）を装着可能な袋形状を有して構成される。この陰嚢冷却シートとしては、例えば、ミツボシプロダクトプラニング株式会社製のNink@tsu Power Cooling Sheet（商品名）を用いることができる。
【００２１】
股下部２２は、図２に示すように、陰嚢冷却シートを装着する部分にポケット２２Ｐが形成してある。そのポケット２２Ｐに装着された陰嚢冷却シートによって、着用者の陰嚢が冷却される。そのため、着用者は、陰嚢において持続性の高い冷感を得ることができる。
【００２２】
一対の接続部２３Ｌ、２３Ｒは、図３に示すように、股下部２２から着用者の臀部側に延びて股下部２２を第１の弾性部３に接続する。一対の接続部２３Ｌ、２３Ｒの間には、大便用開口部２４が形成される。大便用開口部２４は、胴部開口部２０に着用者の胴部が挿通され、且つ一対の脚部開口部２１Ｌ、２１Ｒに着用者の左右脚部がそれぞれ挿通された状態において、着用者の肛門を外部に露出させる。その肛門の露出により、男性用サポータ１の着用者は、大便をするたびに男性用サポータ１をわざわざ脱ぐ必要がない。
【００２３】
[第１の弾性部の構成]
以下、図２に基づいて、第１の弾性部３の構成を説明する。
【００２４】
第１の弾性部３は、ゴムによって形成可能である。このゴムの弾性力によって、男性用サポータ１を腰にフィットさせるようにして着用後のズレ落ちが防止されている。
【００２５】
ゴムとしては、例えば、ウレタンゴム、ニトリルゴム、シリコンゴム、フッ素ゴム、アクリルゴム、エチレン−プロピレンゴム、ブチルゴム、イソプレンゴム、塩素化ポリエチレンゴム、エピクロロヒドリンゴム、水素化ニトリルゴム、クロロプレンゴム、ポリブタジエンゴム、スチレンブタジエンゴム、天然ゴム等を単独で、又はこれらのゴムを各種変性処理したものを使用することができる。
【００２６】
これらのゴムは、単独で使用することができるほか、複数種のゴムをブレンドして用いることもできる。
【００２７】
第１の弾性部３は、図２に示すように、胴部開口部２０を取り囲むように形成され、鼠径部に顕微鏡下低位結紮術が施された場合に形成される第１創部Ｗ１を圧迫する方向の弾性力を付与する。第１の弾性部３は、第１創部Ｗ１が合併症を引き起こすことを抑制可能な弾性力を、例えば顕微鏡下低位結紮術後２〜３日程度に及ぶ着用期間に亘って第１創部Ｗ１に付与する。
【００２８】
ここで、第１の弾性部３は、日本ゴム協会標準規格に準拠した厚みの略２倍の厚みを有することが好ましい。
【００２９】
[小便用開口部の構成]
以下、図１及び図４に基づいて、小便用開口部４の構成を説明する。
【００３０】
小便用開口部４は、図１に示すように、サポータ本体２に形成され、サポータ本体２の内部と外部とを連通させる開口部となる。小便用開口部４には、男性用サポータ１を装着する着用者の陰茎（図４参照）が挿通される。その陰茎の挿通により、男性用サポータ１の着用者は、小便をするたびに男性用サポータ１をわざわざ脱ぐ必要がない。
【００３１】
小便用開口部４は、その孔径が３．５ｃｍ〜４．０ｃｍの孔として形成される。これにより、着用者の陰茎断面積の大きさにバラツキが生じたとしても、このバラツキを吸収できる。
【００３２】
[圧迫部の構成]
以下、図１、図２、図４及び図５に基づいて、圧迫部５の構成を説明する。
【００３３】
圧迫部５は、図１、図２及び図４に示すように、サポータ本体２に形成され、第２創部Ｗ２を陰茎が小便用開口部４に挿通された状態で圧迫する。圧迫部５は、図５に示すように、内側当て布部５０と、外側当て布部５１と、第２の弾性部５２とから構成された３層構造を備える。
【００３４】
内側当て布部５０は、サポータ本体２の内側に設けられた部位である。外側当て布部５１は、サポータ本体２の外側に設けられた部位である。
【００３５】
第２の弾性部５２は、上述した第１の弾性部３同様、ゴムによって形成可能である。第２の弾性部５２は、図５に示すように、内側当て布部５０と外側当て布部５１との間に設けられる。第２の弾性部５２は、陰嚢にTESEが施された場合に形成される第２創部Ｗ２を圧迫する方向の弾性力を付与する。第２の弾性部５２は、第２創部Ｗ２が合併症を引き起こすことを抑制可能な弾性力を、例えばTESEの術後２〜３日程度に及ぶ着用期間に亘って第２創部Ｗ２に付与する。
【００３６】
以上、本実施形態に係る男性用サポータ１によれば、第１の弾性部３により、鼠径部に顕微鏡下低位結紮術あるいは精巣腫瘍摘出術が施された場合に形成される第１創部Ｗ１を圧迫する方向の弾性力が付与され、第２の弾性部５２により、陰嚢にTESEあるいは陰嚢水腫根治術が施された場合に形成される第２創部Ｗ２を圧迫する方向の弾性力が付与される。
【００３７】
そのため、本実施形態に係る男性用サポータ１によれば、鼠径部や陰嚢に施された手術で形成された創部Ｗ１、Ｗ２を圧迫することができる。
【００３８】
また、小便用開口部４には、男性用サポータ１を装着する着用者の陰茎が挿通される。その陰茎の挿通により、男性用サポータ１の着用者は、小便をするたびに男性用サポータ１をわざわざ脱ぐ必要がない。従って、男性用サポータ１の着用者が小便をする間も、第１創部Ｗ１や第２創部Ｗ２の圧迫を中断させずに済む。その結果、第１創部Ｗ１や第２創部Ｗ２が合併症を引き起こしにくい状態を維持できる。
【００３９】
また、大便用開口部２４は、胴部開口部２０に着用者の胴部が挿通され、且つ一対の脚部開口部２１Ｌ、２１Ｒに着用者の左右脚部がそれぞれ挿通された状態において、着用者の肛門を外部に露出させる。その肛門の露出により、男性用サポータ１の着用者は、大便をするたびに男性用サポータ１をわざわざ脱ぐ必要がない。従って、男性用サポータ１の着用者が大便をする間も、第１創部Ｗ１や第２創部Ｗ２の圧迫が中断されない。その結果、第１創部Ｗ１や第２創部Ｗ２が合併症を引き起こしにくくできる。
【００４０】
また、股下部２２は、胴部開口部２０に着用者の胴部が挿通され、且つ一対の脚部開口部２１Ｌ、２１Ｒに着用者の左右脚部がそれぞれ挿通された状態において、着用者の陰嚢を冷却する陰嚢冷却シートを装着可能な袋形状を有して構成される。そのため、鼠径部に第１創部Ｗ１が形成される手術又は陰嚢に第２創部Ｗ２が形成される手術を受けた患者は、第１創部Ｗ１又は第２創部Ｗ２の圧迫に必要な期間（例えば２〜３日程度）の経過後も、陰嚢冷却用のサポータとして男性用サポータ１を使い続けることができる。すなわち、第１創部Ｗ１又は第２創部Ｗ２の圧迫用のサポータでありながら、陰嚢冷却用のサポータとしても使用できる。従って、男性用サポータ１の用途を広げることができる。
【００４１】
また、小便用開口部４は、その孔径が３．５ｃｍ〜４．０ｃｍの孔として形成される。そのため、男性用サポータ１を着用する着用者によって陰茎断面積の大きさにバラツキが生じたとしても、このバラツキを吸収できる。従って、男性用サポータ１は、個体差による陰茎断面積の大きさを問わずに使用できる。
【００４２】
また、第１の弾性部３は、日本ゴム協会標準規格に準拠した厚みの略２倍の厚みを有する。この厚みにより、第１創部Ｗ１を圧迫する弾性力が第１の弾性部３において全体的に分散される。そのため、第１創部Ｗ１の圧迫に必要な力を、例えば顕微鏡下低位結紮術後２〜３日程度に及ぶ着用期間中において一様に維持することができる。
【００４３】
以上、本発明の実施形態について図面に基づいて説明したが、具体的な構成は、これらの実施形態に限定されるものではないことは言うまでもない。本発明の範囲は、上記した実施形態の説明ではなく特許請求の範囲によって示され、さらに特許請求の範囲を逸脱しない限りで類似の範囲内でのすべての変更が含まれる。
【００４４】
なお、上記実施形態では、股下部２２は、陰嚢冷却シートを装着する部分にポケット２２Ｐが形成される例を示した。しかし、これに限られない。例えば、陰嚢冷却シート及び股下部２２の双方もしくは何れか一方が、粘着テープ等の接合手段を有するならば、股下部２２にポケット２２Ｐを形成する必要はない。
【００４５】
なお、上記実施形態では、股下部２２は、平面視において台形状の外形を有する例を示した（図２参照）。しかし、これに限られない。例えば、股下部２２は、平面視において三角形状に形成されるものでもよく、これ以外にも、例えば、円形状及び楕円形状等、種々の形状に形成できる。要するに、股下部２２は、平面視において、陰嚢を包み易く、かつ陰嚢冷却シートを装着可能な形状に形成できれば良い。
【符号の説明】
【００４６】
１  男性用サポータ
２  サポータ本体
３  第１の弾性部
４  小便用開口部
５  圧迫部
２０  胴部開口部
２１Ｌ、２１Ｒ  脚部開口部
２２  股下部
２３Ｌ、２３Ｒ  接続部
２４  大便用開口部
５０  内側当て布部
５１  外側当て布部
５２  第２の弾性部
Ｗ１  第１創部
Ｗ２  第２創部
【図１】
2018204145.tif 000003
【図２】
2018204145.tif 000004
【図３】
2018204145.tif 000005
【図４】
2018204145.tif 000006
【図５】
2018204145.tif 000007